(57)【要約】【課題】  洗面化粧台や流し台等の家具に、足拭きマットを天日干しする手間を省くことができると共に、足拭きマットをいつでも十分に乾燥させることのできる機能を持たせた。【解決手段】  洗面化粧台１１の底部（蹴込み部）に、前方へ引き出し可能となった箱状のマット乾燥ケース１２を設けた。また、洗面化粧台１１の内部において、マット乾燥ケース１２の後方に温風発生装置２２を設けた。マット乾燥ケース１２内に乾燥させようとする足拭きマット２５を納め、温風発生装置２２から温風を発生させて足拭きマット２５に吹き付けることにより、足拭きマット２５を乾燥させる。【選択図】      図２
2006223637.tif 000002
【特許請求の範囲】
【請求項１】
家具本体の底部に前方へ向けて引き出し可能となったマット乾燥ケースを設け、家具本体内に納めたマット乾燥ケース内に向けて温風を吹き出すための温風発生装置を設けたことを特徴とする家具。
【請求項２】
前記マット乾燥ケースは、前記家具本体の蹴込み部に設けられていることを特徴とする、請求項１に記載の家具。
【請求項３】
前記家具本体の底部前面又は前記マット乾燥ケースの前面に、前記温風発生装置から吹き出された温風を外部へ吐出させるための温風吹出口を設けたことを特徴とする、請求項１又は２に記載の家具。
【請求項４】
前記温風発生装置の温風吹き出し時間を制御するためのタイマーを備えたことを特徴とする、請求項１、２又は３に記載の家具。
【発明の詳細な説明】
【技術分野】
【０００１】
本発明は、家具に関する。詳しくは、本発明は足拭きマットを乾燥させる機能を備えた洗面化粧台や流し台などの家具に関する。
【背景技術】
【０００２】
脱衣室や洗面所、台所などの床には、足拭きマットが敷かれている。これらの足拭きマットは、入浴後に体についた水滴を受けたり、洗面時や調理時等にこぼれた水を受けたりするので、非常に濡れ易い。しかし、濡れた足拭きマットをそのまま使用するのは、不衛生であり、また感触も悪いので、通常は１日数時間天日干しを行なうことによって数日間繰り返し使用している。
【０００３】
しかし天日干しは、乾燥に時間が掛かるので十分に乾燥させることが困難であり、また天気の悪い日には乾燥させることができない。さらには、天日干しでは、夜間に使用した後すぐに乾燥させることができず、また乾燥させる際にも屋外まで持ち運ぶ手間が掛かっていた。
【０００４】
なお、特許文献１には、洗面台のシンク下に乾燥室を設け、乾燥室内のハンガーにタオルを掛けておき、タオルに温風を吹き付けて乾燥させるようにした温風吹出し装置付洗面化粧台が開示されている。しかし、タオルを掛けて乾燥させるためのハンガーに足拭きマットを掛けるのは不衛生で好ましくない。そのうえ、タオルを掛けるためのハンガーに足拭きマットを掛けようとすれば、幾つかに畳まないと掛けることができないので、足拭きマットを十分に乾燥させることができない。
【０００５】
【特許文献１】実開平３−１１３６８３号
【発明の開示】
【発明が解決しようとする課題】
【０００６】
本発明は上記のような技術的課題に鑑みてなされたものであり、その目的とするところは、足拭きマットを天日干しする手間を省くと共に、足拭きマットをいつでも十分に乾燥させることのできる機能を備えた洗面化粧台や流し台等の家具を提供することにある。
【課題を解決するための手段】
【０００７】
本発明の請求項１にかかる家具は、家具本体の底部に前方へ向けて引き出し可能となったマット乾燥ケースを設け、家具本体内に納めたマット乾燥ケース内に向けて温風を吹き出すための温風発生装置を設けたことを特徴としている。
【０００８】
本発明の請求項２に記載の実施態様は、請求項１に記載の家具における前記マット乾燥ケースが前記家具本体の蹴込み部に設けられていることを特徴としている。
【０００９】
本発明の請求項３に記載の実施態様は、請求項１又は２に記載の家具における前記家具本体の底部前面又は前記マット乾燥ケースの前面に、前記温風発生装置から吹き出された温風を外部へ吐出させるための温風吹出口を設けたことを特徴としている。
【００１０】
本発明の請求項４に記載の実施態様は、請求項１〜３に記載の家具において、前記温風発生装置の温風吹き出し時間を制御するためのタイマーを備えたことを特徴としている。
【発明の効果】
【００１１】
本発明の家具にあっては、家具本体の底部に前方へ向けて引き出し可能となったマット乾燥ケースを設けているので、マット乾燥ケースを前方へ向けて引き出すことにより、楽な動作で足拭きマットをマット乾燥ケースに出し入れすることができる。しかも、マット乾燥ケースを引き出し状に形成することにより、マット乾燥ケースの面積を大きくして足拭きマットを広げたままで収納可能にできる。また、家具本体の底部に設けられたマット乾燥ケースに向けて温風を吹き出させるための温風発生装置を備えているので、マット乾燥ケースに足拭きマットを納めて温風発生装置からマット乾燥ケースへ温風を吹き出させることにより足拭きマットを強制的に乾燥させることができる。よって、天日干しの場合のように天候に左右されることなく足拭きマットを十分に乾燥させることができ、足拭きマットを持ち運ぶ手間も不要になる。
【００１２】
また、本発明の家具において、マット乾燥ケースを家具本体の蹴込み部に設ければ、マット乾燥ケースが目立たず、家具の外観を損ねたり、使用しないときに邪魔になったりすることがない。
【００１３】
また、本発明の家具において、家具本体の底部に温風を外部へ吐出させるための温風吹出口を設ければ、マット乾燥用の温風発生装置を利用して脱衣室等における足もと暖房やプチ暖房を行なうことができる。
【００１４】
また、本発明の家具に、温風発生装置の温風吹き出し時間を制御するためのタイマーを設けてあれば、タイマー設定時間が経過して足拭きマットが乾燥した頃に自動的に温風発生装置をオフにすることができ、手動でオフにする手間が省ける。
【発明を実施するための最良の形態】
【００１５】
以下、本発明の実施例を図面に従って詳細に説明する。本発明は、洗面化粧台や流し台などの家具に適用することができるが、以下の実施例においては洗面化粧台に適用した場合について説明する。
【実施例１】
【００１６】
図１は本発明の実施例１による洗面化粧台１１（家具）を示す外観斜視図である。洗面化粧台１１は洗面化粧台本体１３を躯体としており、その下部が収納部１４となっている。収納部１４の上面にはシンク１５（洗面ボール）が設置されており、シンク１５の上面には給湯水栓１６と給湯用ハンドル１７が設けられている。シンク１５の上方にはミラー１８が設置されており、その上部には照明器具１９が取り付けられている。収納部１４の前面は開き戸２０となっており、その下の蹴込み部には箱状のマット乾燥ケース１２が納められている。
【００１７】
図２はマット乾燥ケース１２を引き出した状態を示す洗面化粧台１１の斜視図である。マット乾燥ケース１２は、洗面化粧台１１の幅とほぼ等しい幅を有し、上面及び背面が開放された箱状となっており、引き出しのように前方へスムーズに引き出し可能となっている。但し、マット乾燥ケース１２を引き出す際に、洗面化粧台１１を設置している床面を傷つけないようにマット乾燥ケース１２を少し床面から浮かせるか、マット乾燥ケース１２の下面にコロを設けている。また、洗面化粧台本体１３内において、マット乾燥ケース１２の後方には温風発生装置２２が設置されている。温風発生装置２２は、送風ファン２６とヒータ２７を備えており、ヒータ２７で加熱された空気（温風）を送風ファン２６により吹き出すことができる。温風発生装置２２と対向する位置において、洗面化粧台本体１３の側面には吸気口２３が開口されており、一方、マット乾燥ケース１２の前面には温風吹出口２１が開口されている。
【００１８】
図４は温風発生装置２２の電気的構成を説明する回路図である。温風発生装置２２は、空気加熱用の（電気）ヒータ２７、送風ファン２６を回転させるための送風ファンモータ２９、運転時間を計測するためのタイマ（オフタイマー）３０を備えており、これらには家庭用電源から１００ボルトの交流電力２８が供給されている。温風発生装置２２のスイッチ２４及びタイマー３０を操作するためのタイマースイッチ３１は、図１及び図２に示すように、洗面化粧台１１の前面に取り付けられている。また、タイマー３０は、専用のタイマー装置を用いてもよく、制御回路内のタイマー機能を利用してもよい。
【００１９】
足拭きマット２５は、使用時には、脱衣室や洗面所などで当該洗面化粧台１１の前の床面に敷かれていたり、台所の流し台の前の床面などに敷かれている。使用により濡れたり、湿ったりした足拭きマット２５を乾燥させたい場合には、図２に示すようにマット乾燥ケース１２を前方に引き出し、マット乾燥ケース１２の中に足拭きマット２５を広げて置く。ついで、マット乾燥ケース１２を押して洗面化粧台１１内に納める。
【００２０】
この後、洗面化粧台１１前面のタイマースイッチ３１を操作してタイマー時間を設定すると、スイッチ２４がオンになってヒータ２７が発熱すると共に送風ファン２６が回転し、送風を開始する。よって、図３に矢印で示すように、吸気口２３から吸気された空気がヒータ２７で加熱され、温風がマット乾燥ケース１２内に向けて吹き出される。マット乾燥ケース１２内に吹き出された温風は、マット乾燥ケース１２内の足拭きマット２５を通過して足拭きマット２５を乾燥させ、湿気を含んだ温風は温風吹出口２１から外部へ排出される。なお、このとき温風が足拭きマット２５の表裏を通過するよう、足拭きマット２５はすのこなどでマット乾燥ケース１２の底面から浮かせておくことが望ましい。そして、所定のタイマー時間が経過すると、スイッチ２４がオフになって温風発生装置２２が運転を終了する。こうして足拭きマット２５が乾燥したら、マット乾燥ケース１２を引き出して足拭きマット２５を取り出す。
【００２１】
この洗面化粧台１１によるマット乾燥機能によれば、天日干しのように天候に左右されることなく、いつでも確実に足拭きマット２５を乾燥させることができ、足拭きマット２５を気持ちよく清潔に使用することができる。また、足拭きマット２５をその場で乾燥させることができるので、足拭きマット２５を屋外まで運ぶ手間も省け、非常に利便性が高くなる。さらに、天日干しに比べて非常に短かい時間で足拭きマット２５を乾燥させることができるので、例えば入浴中などに足拭きマット２５を乾燥させておくといった使い方も可能になる。
【００２２】
また、温風発生装置２２から足拭きマット２５に吹き付ける温風の温度を高くしておけば、足拭きマット２５の乾燥と同時に足拭きマット２５の殺菌も行なうことができる。
【００２３】
マット乾燥ケース１２内が空の場合でも、スイッチ２４をオンにして温風発生装置２２を運転すると、温風吹出口２１から温風が吹き出されるので、足もと暖房又はプチ暖房を行なうことができる。また、洗面化粧台１１の前に敷かれている足拭きマット２５を使用状態のままで乾燥させることもできる。
【００２４】
なお、図示例では、温風吹出口２１はマット乾燥ケース１２の前面上部に設けたが、マット乾燥ケース１２の前面下部に設けてもよい。
【図面の簡単な説明】
【００２５】
【図１】本発明の実施例１による洗面化粧台を示す外観斜視図である。
【図２】マット乾燥ケースを引き出した状態を示す洗面化粧台の斜視図である。
【図３】マット乾燥ケースと温風発生装置の配置を示す概略断面図である。
【図４】温風発生回路の電気的構成を説明する回路図である。
【符号の説明】
【００２６】
１１  洗面化粧台
１２  マット乾燥ケース
１３  洗面化粧台本体
１４  収納部
１５  シンク
１６  給湯水栓
１７  給湯用ハンドル
１８  ミラー
１９  照明器具
２０  開き戸
２１  温風吹出口
２２  温風発生装置
２３  吸気口
２４  スイッチ
２５  足拭きマット
２６  送風ファン
２７  ヒータ
２８  交流電源
２９  送風ファンモータ
３０  タイマー
３１  タイマースイッチ
【図１】
2006223637.tif 000003
【図２】
2006223637.tif 000004
【図３】
2006223637.tif 000005
【図４】
2006223637.tif 000006